(57)【要約】テレビジョン受信システムは、テレビジョン受信装置（１００）と、リモートコントロール装置（２００）とを備えて構成される。テレビジョン受信装置（１００）は、受信された放送波の映像信号及び音声信号と、外部電子機器（３００）から入力された映像信号及び音声信号とのうちの一方を出力し、上記映像信号及び音声信号を無線送信する。リモートコントロール装置（２００）は、上記テレビジョン受信装置（１００）の動作を制御し、上記無線送信された映像信号及び音声信号を受信して出力する。テレビジョン受信システムのための省電力制御装置は、上記リモートコントロール装置（２００）からの所定の指示信号を受信したとき、上記テレビジョン受信装置（１００）の少なくとも一部の手段の電源をオフするように制御する。
2005011267.tif 000002
【特許請求の範囲】
【請求項１】
受信された放送波の映像信号及び音声信号と、外部電子機器から入力された映像信号及び音声信号とのうちの一方を出力し、上記映像信号及び音声信号を無線送信するテレビジョン受信装置と、
上記テレビジョン受信装置の動作を制御し、上記無線送信された映像信号及び音声信号を受信して出力するリモートコントロール装置とを備えたテレビジョン受信システムのための省電力制御装置において、
上記リモートコントロール装置からの所定の指示信号を受信したとき、上記テレビジョン受信装置の少なくとも一部の手段の電源をオフする省電力手段を備えたことを特徴とする省電力制御装置。
【請求項２】
上記指示信号は、上記テレビジョン受信装置の少なくとも一部の手段の電源をオフすることにより省電力状態に移行することを指示する省電力移行指示メッセージであることを特徴とする請求項１記載の省電力制御装置。
【請求項３】
上記指示信号は、上記テレビジョン受信装置から上記リモートコントロール装置に対して上記映像信号及び音声信号を無線送信することを指示する映像音声送信指示メッセージであることを特徴とする請求項１記載の省電力制御装置。
【請求項４】
上記指示信号は、上記テレビジョン受信装置から上記リモートコントロール装置に対して上記映像信号及び音声信号を無線送信することを指示する映像音声送信指示メッセージであり、
上記省電力手段は、上記リモートコントロール装置からの上記指示信号を受信し、かつ上記テレビジョン受信装置において自動省電力機能モードが設定されているとき、上記テレビジョン受信装置の少なくとも一部の手段の電源をオフすることを特徴とする請求項１記載の省電力制御装置。
【請求項５】
上記テレビジョン受信装置の少なくとも一部の手段は、上記映像信号の映像を表示する表示手段と、上記音声信号の音声を出力する音声出力手段とを含むことを特徴とする請求項１乃至４のうちのいずれか１つに記載の省電力制御装置。
【請求項６】
受信された放送波の映像信号及び音声信号と、外部電子機器から入力された映像信号及び音声信号とのうちの一方を出力し、上記映像信号及び音声信号を無線送信するテレビジョン受信装置と、
上記テレビジョン受信装置の動作を制御し、上記無線送信された映像信号及び音声信号を受信して出力するリモートコントロール装置とを備えたテレビジョン受信システムのための省電力制御方法において、
上記リモートコントロール装置からの所定の指示信号を受信したとき、上記テレビジョン受信装置の少なくとも一部の手段の電源をオフする省電力ステップを含むことを特徴とする省電力制御方法。
【請求項７】
上記指示信号は、上記テレビジョン受信装置の少なくとも一部の手段の電源をオフすることにより省電力状態に移行することを指示する省電力移行指示メッセージであることを特徴とする請求項６記載の省電力制御方法。
【請求項８】
上記指示信号は、上記テレビジョン受信装置から上記リモートコントロール装置に対して上記映像信号及び音声信号を無線送信することを指示する映像音声送信指示メッセージであることを特徴とする請求項６記載の省電力制御方法。
【請求項９】
上記指示信号は、上記テレビジョン受信装置から上記リモートコントロール装置に対して上記映像信号及び音声信号を無線送信することを指示する映像音声送信指示メッセージであり、
上記省電力ステップは、上記リモートコントロール装置からの上記指示信号を受信し、かつ上記テレビジョン受信装置において自動省電力機能モードが設定されているとき、上記テレビジョン受信装置の少なくとも一部の手段の電源をオフすることを特徴とする請求項６記載の省電力制御方法。
【請求項１０】
上記テレビジョン受信装置の少なくとも一部の手段は、上記映像信号の映像を表示する表示手段と、上記音声信号の音声を出力する音声出力手段とを含むことを特徴とする請求項６乃至９のうちのいずれか１つに記載の省電力制御方法。
【請求項１１】
外部電子機器から入力された映像信号及び音声信号を出力し、上記映像信号及び音声信号を無線送信するテレビジョン受信装置と、
上記テレビジョン受信装置の動作を制御し、上記テレビジョン受信装置を介して上記外部電子機器の動作を制御し、上記無線送信された映像信号及び音声信号を受信して出力するリモートコントロール装置とを備えたテレビジョン受信システムのための省電力制御装置であって、
上記リモートコントロール装置からの所定の指示信号を受信したとき、上記外部電子機器の電源をオフするように制御する制御手段を備えたことを特徴とする省電力制御装置。
【請求項１２】
上記テレビジョン受信装置は、複数の外部電子機器からの映像信号及び音声信号を選択的に切り換えて出力する切換手段をさらに備え、
上記制御手段は、上記リモートコントロール装置から複数の外部電子機器のうちの１つに選択的に切り換える外部電子機器切換指示メッセージを含む指示信号を受信したとき、複数の外部電子機器のうちの１つに選択的に切り換えるように上記切換手段を制御し、上記切り換え前に選択されていた外部電子機器の電源をオフにするように制御することを特徴とする請求項１１記載の省電力制御装置。
【請求項１３】
上記制御手段は、上記選択された外部電子機器からの映像信号及び音声信号を上記リモートコントロール装置に無線送信することを特徴とする請求項１２記載の省電力制御装置。
【請求項１４】
上記制御手段は、上記テレビジョン受信装置の少なくとも一部の手段の電源をオフすることを特徴とする請求項１３記載の省電力制御装置。
【請求項１５】
上記テレビジョン受信装置の少なくとも一部の手段は、
（１）上記テレビジョン受信装置の放送波を受信する受信手段と、
（２）上記映像信号の映像を表示する表示手段、及び上記音声信号の音声を出力する音声出力手段と
のうちの少なくとも一方を含むことを特徴とする請求項１４記載の省電力制御装置。
【請求項１６】
外部電子機器から入力された映像信号及び音声信号を出力し、上記映像信号及び音声信号を無線送信するテレビジョン受信装置と、
上記テレビジョン受信装置の動作を制御し、上記テレビジョン受信装置を介して上記外部電子機器の動作を制御し、上記無線送信された映像信号及び音声信号を受信して出力するリモートコントロール装置とを備えたテレビジョン受信システムのための省電力制御方法であって、
上記リモートコントロール装置からの所定の指示信号を受信したとき、上記外部電子機器の電源をオフするように制御する制御ステップを含むことを特徴とする省電力制御方法。
【請求項１７】
上記テレビジョン受信装置は、複数の外部電子機器からの映像信号及び音声信号を選択的に切り換えて出力する切換手段をさらに備え、
上記制御ステップは、上記リモートコントロール装置から複数の外部電子機器のうちの１つに選択的に切り換える外部電子機器切換指示メッセージを含む指示信号を受信したとき、複数の外部電子機器のうちの１つに選択的に切り換えるように上記切換手段を制御し、上記切り換え前に選択されていた外部電子機器の電源をオフにするように制御することを特徴とする請求項１６記載の省電力制御方法。
【請求項１８】
上記制御ステップは、上記選択された外部電子機器からの映像信号及び音声信号を上記リモートコントロール装置に無線送信することを特徴とする請求項１７記載の省電力制御方法。
【請求項１９】
上記制御ステップは、上記テレビジョン受信装置の少なくとも一部の手段の電源をオフすることを特徴とする請求項１８記載の省電力制御方法。
【請求項２０】
上記テレビジョン受信装置の少なくとも一部の手段は、
（１）上記テレビジョン受信装置の放送波を受信する受信手段と、
（２）上記映像信号の映像を表示する表示手段、及び上記音声信号の音声を出力する音声出力手段と
のうちの少なくとも一方を含むことを特徴とする請求項１９記載の省電力制御方法。
【請求項２１】
受信された放送波の映像信号及び音声信号と、外部電子機器から入力された映像信号及び音声信号とのうちの一方を出力し、上記映像信号及び音声信号を無線送信するテレビジョン受信装置において、
請求項１乃至５のうちのいずれか１つに記載の省電力制御装置を備えたことを特徴とするテレビジョン受信装置。
【請求項２２】
受信された放送波の映像信号及び音声信号と、外部電子機器から入力された映像信号及び音声信号とのうちの一方を出力し、上記映像信号及び音声信号を無線送信するテレビジョン受信装置と、
上記テレビジョン受信装置の動作を制御し、上記無線送信された映像信号及び音声信号を受信して出力するリモートコントロール装置とを備えたテレビジョン受信システムにおいて、
請求項１乃至５のうちのいずれか１つに記載の省電力制御装置を備えたことを特徴とするテレビジョン受信システム。
【請求項２３】
外部電子機器から入力された映像信号及び音声信号を出力し、上記映像信号及び音声信号を無線送信するテレビジョン受信装置において、
請求項１１乃至１５のうちのいずれか１つに記載の省電力制御装置を備えたことを特徴とするテレビジョン受信装置。
【請求項２４】
外部電子機器から入力された映像信号及び音声信号を出力し、上記映像信号及び音声信号を無線送信するテレビジョン受信装置と、
上記テレビジョン受信装置の動作を制御し、上記テレビジョン受信装置を介して上記外部電子機器の動作を制御し、上記無線送信された映像信号及び音声信号を受信して出力するリモートコントロール装置とを備えたテレビジョン受信システムにおいて、
請求項１１乃至１５のうちのいずれか１つに記載の省電力制御装置を備えたことを特徴とするテレビジョン受信システム。
【発明の詳細な説明】
【技術分野】  本発明は、テレビジョン受信装置と、そのリモートコントロール装置とを備えたテレビジョン受信システムのための省電力制御装置及び方法に関する。また、本発明は、上記省電力制御装置を備えたテレビジョン受信装置、並びに、上記テレビジョン受信装置を備えたテレビジョン受信システムに関する。
【背景技術】  映像信号及び音声信号の無線伝送技術は、近年、急速な進歩が認められており、送信装置と受信装置による形態を有する無線伝送システムや、もしくは、受信装置をテレビジョン受信装置に内蔵した形態のテレビジョン受信装置も一般化されつつある。なお、後者の場合においては、テレビジョン受信装置に代えて、パーソナルコンピュータである場合がある。
さらなる応用的な形態として、例えばテレビジョン受信装置とそのリモートコントロール装置との間での映像信号及び音声信号の無線伝送装置の形態に関して、テレビジョン受像機には再生した映像信号等を無線で伝送する送受信部を備え、リモートコントロール装置にはテレビジョン受像機を操作する操作ボタン以外に、映像信号等を無線で伝送する送受信部や、呼出された映像信号等を表示する表示装置を内蔵するものが、例えば、日本国特許出願公開平成１１年６９４６３号公報（以下、第１の従来例という。）において開示されている。
また、リモートコントロール装置により外部電子機器への電力供給を制御するエネルギー管理システムに関しては、例えば、在室者検知手段と、端末機器に信号を無線で送信するリモコンとを備え、在室者検知手段による所定の室内における人の存在の検知に基づいて電力供給制御信号を電源接続制御手段に出力させるシステムが、例えば、日本国特許出願公開２０００年１５２５２２号公報（以下、第２の従来例という。）において開示されている。
さらに、例えばテレビジョン受信装置などの電子機器を遠隔制御するための装置が、例えば以下の文献において開示されている。
（１）日本国特許出願公開２００２年２９１０６５号公報。
（２）日本国特許出願公開２００３年１７９７７４号公報。
（３）日本国特許出願公開２００３年２１９４８６号公報。
（４）日本国特許出願公開２００３年２５９４６４号公報。
【発明の開示】
しかしながら、上述の従来例などにおいては以下の問題点があった。
まず、第１の従来例においては、同一システム内に複数の映像及び音声出力機能を有するテレビジョン受信装置において、ユーザーが一方の映像及び音声出力機能のみを視聴するために使用し他方を不要とする場合であり、具体的には、例えばテレビジョン受信装置とそのリモートコントロール装置との間では映像信号及び音声信号の無線伝送が行われるため、別室での視聴といった離れた状態でリモートコントロール装置による視聴環境を想定した場合、テレビジョン受信装置本体の映像及び音声出力機能は不要であるにも拘らず常に出力されており、無駄な電力を消費していることになる。
また、例えばビデオレコーダやＣＡＴＶ受信装置などの複数の外部接続機器を接続したテレビジョン受信装置において、視聴している外部接続機器以外の接続機器は離れているため、その機器の電源の状態はユーザーに分かりにくく、意識的に未使用の機器の電源を切断しないと操作状態のまま通電されており、無駄な電力を消費することになる。
さらに、第２の従来例において、ユーザーによっては同一室内での使用環境もあり得るため、人の存在を検知に基づく電力管理に関する制御システムでは該省電力状態への遷移が行われない場合がある。
本発明の目的は以上の問題点を解決し、効率的に省電力状態に遷移するように制御することができる省電力制御装置及び方法を提供することにある。
また、本発明の別の目的は、上記省電力制御装置を備えたテレビジョン受信装置、並びに、上記テレビジョン受信装置を備えたテレビジョン受信システムを提供することにある。
第１の発明に係る省電力制御装置は、受信された放送波の映像信号及び音声信号と、外部電子機器から入力された映像信号及び音声信号とのうちの一方を出力し、上記映像信号及び音声信号を無線送信するテレビジョン受信装置と、
上記テレビジョン受信装置の動作を制御し、上記無線送信された映像信号及び音声信号を受信して出力するリモートコントロール装置とを備えたテレビジョン受信システムのための省電力制御装置において、
上記リモートコントロール装置からの所定の指示信号を受信したとき、上記テレビジョン受信装置の少なくとも一部の手段の電源をオフする省電力手段を備えたことを特徴とする。
上記省電力制御装置において、上記指示信号は、上記テレビジョン受信装置の少なくとも一部の手段の電源をオフすることにより省電力状態に移行することを指示する省電力移行指示メッセージであることを特徴とする。もしくは、上記省電力制御装置において、上記指示信号は、上記テレビジョン受信装置から上記リモートコントロール装置に対して上記映像信号及び音声信号を無線送信することを指示する映像音声送信指示メッセージであることを特徴とする。とって代わって、上記省電力制御装置において、上記指示信号は、上記テレビジョン受信装置から上記リモートコントロール装置に対して上記映像信号及び音声信号を無線送信することを指示する映像音声送信指示メッセージであり、
上記省電力手段は、上記リモートコントロール装置からの上記指示信号を受信し、かつ上記テレビジョン受信装置において自動省電力機能モードが設定されているとき、上記テレビジョン受信装置の少なくとも一部の手段の電源をオフすることを特徴とする。
また、上記省電力制御装置において、上記テレビジョン受信装置の少なくとも一部の手段は、上記映像信号の映像を表示する表示手段と、上記音声信号の音声を出力する音声出力手段とを含むことを特徴とする。
第２の発明に係る省電力制御方法は、受信された放送波の映像信号及び音声信号と、外部電子機器から入力された映像信号及び音声信号とのうちの一方を出力し、上記映像信号及び音声信号を無線送信するテレビジョン受信装置と、
上記テレビジョン受信装置の動作を制御し、上記無線送信された映像信号及び音声信号を受信して出力するリモートコントロール装置とを備えたテレビジョン受信システムのための省電力制御方法において、
上記リモートコントロール装置からの所定の指示信号を受信したとき、上記テレビジョン受信装置の少なくとも一部の手段の電源をオフする省電力ステップを含むことを特徴とする。
上記省電力制御方法において、上記指示信号は、上記テレビジョン受信装置の少なくとも一部の手段の電源をオフすることにより省電力状態に移行することを指示する省電力移行指示メッセージであることを特徴とする。もしくは、上記省電力制御方法において、上記指示信号は、上記テレビジョン受信装置から上記リモートコントロール装置に対して上記映像信号及び音声信号を無線送信することを指示する映像音声送信指示メッセージであることを特徴とする。とって代わって、上記指示信号は、上記テレビジョン受信装置から上記リモートコントロール装置に対して上記映像信号及び音声信号を無線送信することを指示する映像音声送信指示メッセージであり、
上記省電力ステップは、上記リモートコントロール装置からの上記指示信号を受信し、かつ上記テレビジョン受信装置において自動省電力機能モードが設定されているとき、上記テレビジョン受信装置の少なくとも一部の手段の電源をオフすることを特徴とする。
また、上記省電力制御方法において、上記テレビジョン受信装置の少なくとも一部の手段は、上記映像信号の映像を表示する表示手段と、上記音声信号の音声を出力する音声出力手段とを含むことを特徴とする。
第３の発明に係る省電力制御装置は、外部電子機器から入力された映像信号及び音声信号を出力し、上記映像信号及び音声信号を無線送信するテレビジョン受信装置と、
上記テレビジョン受信装置の動作を制御し、上記テレビジョン受信装置を介して上記外部電子機器の動作を制御し、上記無線送信された映像信号及び音声信号を受信して出力するリモートコントロール装置とを備えたテレビジョン受信システムのための省電力制御装置であって、
上記リモートコントロール装置からの所定の指示信号を受信したとき、上記外部電子機器の電源をオフするように制御する制御手段を備えたことを特徴とする。
上記省電力制御装置において、上記テレビジョン受信装置は、複数の外部電子機器からの映像信号及び音声信号を選択的に切り換えて出力する切換手段をさらに備え、
上記制御手段は、上記リモートコントロール装置から複数の外部電子機器のうちの１つに選択的に切り換える外部電子機器切換指示メッセージを含む指示信号を受信したとき、複数の外部電子機器のうちの１つに選択的に切り換えるように上記切換手段を制御し、上記切り換え前に選択されていた外部電子機器の電源をオフにするように制御することを特徴とする。
また、上記省電力制御装置において、上記制御手段は、上記選択された外部電子機器からの映像信号及び音声信号を上記リモートコントロール装置に無線送信することを特徴とする。
さらに、上記省電力制御装置において、上記制御手段は、上記テレビジョン受信装置の少なくとも一部の手段の電源をオフすることを特徴とする。
またさらに、上記省電力制御装置において、上記テレビジョン受信装置の少なくとも一部の手段は、
（１）上記テレビジョン受信装置の放送波を受信する受信手段と、
（２）上記映像信号の映像を表示する表示手段、及び上記音声信号の音声を出力する音声出力手段と
のうちの少なくとも一方を含むことを特徴とする。
第４の発明に係る省電力制御方法は、外部電子機器から入力された映像信号及び音声信号を出力し、上記映像信号及び音声信号を無線送信するテレビジョン受信装置と、
上記テレビジョン受信装置の動作を制御し、上記テレビジョン受信装置を介して上記外部電子機器の動作を制御し、上記無線送信された映像信号及び音声信号を受信して出力するリモートコントロール装置とを備えたテレビジョン受信システムのための省電力制御方法であって、
上記リモートコントロール装置からの所定の指示信号を受信したとき、上記外部電子機器の電源をオフするように制御する制御ステップを含むことを特徴とする。
上記省電力制御方法において、上記テレビジョン受信装置は、複数の外部電子機器からの映像信号及び音声信号を選択的に切り換えて出力する切換手段をさらに備え、
上記制御ステップは、上記リモートコントロール装置から複数の外部電子機器のうちの１つに選択的に切り換える外部電子機器切換指示メッセージを含む指示信号を受信したとき、複数の外部電子機器のうちの１つに選択的に切り換えるように上記切換手段を制御し、上記切り換え前に選択されていた外部電子機器の電源をオフにするように制御することを特徴とする。
また、上記省電力制御方法において、上記制御ステップは、上記選択された外部電子機器からの映像信号及び音声信号を上記リモートコントロール装置に無線送信することを特徴とする。
さらに、上記省電力制御方法において、上記制御ステップは、上記テレビジョン受信装置の少なくとも一部の手段の電源をオフすることを特徴とする。
またさらに、上記省電力制御方法において、上記テレビジョン受信装置の少なくとも一部の手段は、
（１）上記テレビジョン受信装置の放送波を受信する受信手段と、
（２）上記映像信号の映像を表示する表示手段、及び上記音声信号の音声を出力する音声出力手段と
のうちの少なくとも一方を含むことを特徴とする。
第５の発明に係るテレビジョン受信装置は、受信された放送波の映像信号及び音声信号と、外部電子機器から入力された映像信号及び音声信号とのうちの一方を出力し、上記映像信号及び音声信号を無線送信するテレビジョン受信装置において、
上記省電力制御装置を備えたことを特徴とする。
第６の発明に係るテレビジョン受信システムは、受信された放送波の映像信号及び音声信号と、外部電子機器から入力された映像信号及び音声信号とのうちの一方を出力し、上記映像信号及び音声信号を無線送信するテレビジョン受信装置と、
上記テレビジョン受信装置の動作を制御し、上記無線送信された映像信号及び音声信号を受信して出力するリモートコントロール装置とを備えたテレビジョン受信システムにおいて、
上記省電力制御装置を備えたことを特徴とする。
第７の発明に係るテレビジョン受信装置は、外部電子機器から入力された映像信号及び音声信号を出力し、上記映像信号及び音声信号を無線送信するテレビジョン受信装置において、
上記省電力制御装置を備えたことを特徴とする。
第８の発明に係るテレビジョン受信システムは、外部電子機器から入力された映像信号及び音声信号を出力し、上記映像信号及び音声信号を無線送信するテレビジョン受信装置と、
上記テレビジョン受信装置の動作を制御し、上記テレビジョン受信装置を介して上記外部電子機器の動作を制御し、上記無線送信された映像信号及び音声信号を受信して出力するリモートコントロール装置とを備えたテレビジョン受信システムにおいて、
上記省電力制御装置を備えたことを特徴とする。
従って、本発明に係る省電力制御装置及び方法によれば、テレビジョン受信装置とリモートコントロール装置とを備えたテレビジョン受信システムのための省電力制御装置において、上記リモートコントロール装置からの所定の指示信号を受信したとき、上記テレビジョン受信装置の少なくとも一部の手段の電源をオフする省電力手段を備える。従って、上記テレビジョン受信装置の消費電力を容易にかつ自動的に省くことができる。
また、本発明に係る省電力制御装置及び方法によれば、テレビジョン受信装置とリモートコントロール装置とを備えたテレビジョン受信システムのための省電力制御装置において、上記リモートコントロール装置からの所定の指示信号を受信したとき、外部電子機器の電源をオフする制御手段を備える。従って、上記外部電子機器の消費電力を容易にかつ自動的に省くことができる。
【図面の簡単な説明】  図１は、本発明の好ましい実施形態に係るテレビジョン受信装置１００及びその周辺装置を含むテレビジョン受信システムの構成を示すブロック図である。
図２は、図１のテレビジョン受信装置１００の装置コントローラ２０により実行される電力制御及び信号伝送制御処理を示すフローチャートである。
図３は、図１のテレビジョン受信装置１００の装置コントローラ２０により実行される、変形例に係る電力制御及び信号伝送制御処理を示すフローチャートである。
【発明を実施するための最良の形態】  以下、本発明に係る好ましい実施形態について図面を参照して説明する。
図１は、本発明の好ましい実施形態に係るテレビジョン受信装置１００及びその周辺装置を含むテレビジョン受信システムの構成を示すブロック図である。
図１において、当該テレビジョン受信システムは、
（１）テレビジョン受信装置１００と、
（２）テレビジョン受信装置１００を遠隔制御するためのリモートコントロール装置２００と、
（３）テレビジョン受信装置１００にそれぞれ接続され、映像信号及び音声信号をテレビジョン受信装置１００に出力する外部電子機器である、ＤＶＤレコーダ装置３００−１、ビデオレコーダ装置３００−２及びＣＡＴＶ受信装置３００−３（以下、総称して外部電子機器３００という。）と
を備えて構成される。
図１において、放送波は、アンテナ１１Ａを介して放送波チューナ回路１１により受信され、放送波チューナ回路１１は受信された放送波の無線信号に対して低雑音増幅、周波数変換、中間周波増幅、復調などの処理を実行した後、映像信号と音声信号に分離し、スイッチＳＷ１１の接点ａを介して映像信号処理回路１２Ａ及び音声信号処理回路１２Ｂに出力する。第１の外部電子機器３００であるＤＶＤレコーダ装置３００−１は、ＤＶＤやＶＣＤなどの光ディスクに格納された映像信号及び音声信号を再生して、端子Ｔ１を介してスイッチＳＷ１１の接点ｂを介して映像信号処理回路１２Ａ及び音声信号処理回路１２Ｂに出力する。また、第２の外部電子機器３００であるビデオレコーダ装置３００−２は、ビデオテープに録画及び録音された映像信号及び音声信号をそれぞれ再生して、端子Ｔ２を介してスイッチＳＷ１１の接点ｃを介して映像信号処理回路１２Ａ及び音声信号処理回路１２Ｂに出力する。さらに、第３の外部電子機器３００であるＣＡＴＶ受信装置３００−３は、ＣＡＴＶのヘッドエンド装置から光ファイバケーブル又は同軸ケーブルを介して伝送されてくるＣＡＴＶ信号を受信した後、映像信号及び音声信号をそれぞれ復号化して、端子Ｔ３を介してスイッチＳＷ１１の接点ｄを介して映像信号処理回路１２Ａ及び音声信号処理回路１２Ｂに出力する。ここで、スイッチＳＷ１１の切り換えは装置コントローラ２０により制御される。
各外部電子機器３００はそれぞれ、テレビジョン受信装置１００内の赤外線信号送信回路１８により発生され赤外線送信部１９から送信されるリモートコントロール信号である赤外線信号を受信する赤外線受光部３００Ａを備える。ここで、赤外線信号送信回路１８により発生される赤外線信号は、遠隔制御される複数の外部電子機器３００に依存して予め装置コントローラ２０のデータメモリ２０Ａに登録される（図３のステップＳ２３）異なるリモートコントロールコードを含み、当該リモートコントロールコードにより遠隔制御する外部電子機器３００を識別し、当該リモートコントロールコードに付加される詳細制御コードに基づいて、各外部電子機器３００の電源のオン・オフ、各外部電子機器３００からの映像信号及び音声信号の出力のオン・オフ、及び各外部電子機器３００のチャンネルの選択などを制御する。当該遠隔制御は、テレビジョン受信装置１００の装置コントローラ２０から各外部電子機器３００に対する制御のみならず、リモートコントロール装置２００からテレビジョン受信装置１００を介して各外部電子機器３００に対する制御も可能である。
また、映像信号処理回路１２Ａは、入力される映像信号に対してデスクランブルや復号化などの信号処理を実行した後、ＲＧＢプロセッサ１３Ａ及び伝送信号処理回路１６に出力する。また、音声信号処理回路１２Ｂは、入力される音声信号に対してデスクランブラや復号化などの処理を実行した後、増幅器１３Ｂ及び伝送信号処理回路１６に出力する。ＲＧＢプロセッサ１３Ａは入力される映像信号をＲＧＢ信号に信号変換した後、例えばプラズマディスプレイなどのディスプレイ１４に出力して表示する。また、増幅器１３Ｂは、入力される２チャンネルの音声信号を電力増幅して２個のスピーカ１５Ａ及び１５Ｂに出力する。
さらに、伝送信号処理回路１６は、映像信号処理回路１２Ａから入力される映像信号と、音声信号処理回路１２Ｂから入力される音声信号とに対して、ディジタルＡ／Ｄ変換及び所定の符号化を実行して、例えばＩＥＥＥ８０２．１１などの規定に基づくディジタル伝送信号を生成して無線ＬＡＮ送受信機１７に出力する。また、伝送信号処理回路１６は、装置コントローラ２０からリモートコントロール装置２００に対するリモートコントロール信号（以下、装置コントローラ２０からリモートコントロール装置２００に対するリモートコントロール信号、並びに、リモートコントロール装置２００からテレビジョン受信装置１００に対するリモートコントロール信号を含み、無線ＬＡＮリモートコントロール信号という。）を符号化して、例えばＩＥＥＥ８０２．１１などの規定に基づくディジタル伝送信号を生成して無線ＬＡＮ送受信機１７に出力する。無線ＬＡＮ送受信機１７は、上記規定に基づいて、映像信号及び音声信号、又は無線ＬＡＮリモートコントロール信号を含み入力されるディジタル伝送信号に対して、周波数変換や電力増幅などの処理を実行して無線ＬＡＮ信号を発生して、アンテナ１７Ａからリモートコントロール装置２００に向けて送信する。ここで、装置コントローラ２０からリモートコントロール装置２００に対する無線ＬＡＮリモートコントロール信号は、例えば、リモートコントロール装置２００に映像信号及び音声信号をそれぞれ表示し出力するための指示メッセージを含む。
一方、リモートコントロール装置２００からアンテナ１７Ａを介して受信される無線ＬＡＮ信号は無線ＬＡＮ送受信機１７に入力され、無線ＬＡＮ送受信機１７は、入力される無線ＬＡＮ信号に対して、低雑音高周波増幅、周波数変換、復調などの処理を実行して、テレビジョン受信装置１００及び外部電子機器３００に対するリモートコントロール信号（以下、無線ＬＡＮリモートコントロール信号という。）を含むディジタル伝送信号を生成した後、伝送信号処理回路１６に出力する。伝送信号処理回路１６は受信されて入力されるディジタル伝送信号から無線ＬＡＮリモートコントロール信号を抽出して装置コントローラ２０に出力する。ここで、リモートコントロール装置２００からテレビジョン受信装置１００に対する無線ＬＡＮリモートコントロール信号は、例えば、以下の指示メッセージを含む。
（１）映像音声送信指示メッセージ：映像信号及び音声信号を、テレビジョン受信装置１００からリモートコントロール装置２００に向けて、無線ＬＡＮ送受信機１７と無線ＬＡＮ送受信機３３との間の無線ＬＡＮを介して無線送信することを指示するメッセージである。
（２）省電力移行指示メッセージ：テレビジョン受信装置１００内の一部の回路やデバイスの電源をオフにすることを指示するメッセージであり、図２の例では、自動省電力機能モードがオフであって当該指示メッセージを受信したとき、ディスプレイ１４並びにスピーカ１５Ａ及び１５Ｂの電源をオフにすることを指示するメッセージである。
（３）電源オフ指示メッセージ：テレビジョン受信装置１００全体の電源をオフにする指示メッセージである。
（４）外部電子機器切換指示メッセージ：スイッチＳＷ１１により選択すべき外部電子機器３００の情報を含む指示メッセージであり、選択すべき外部電子機器３００に切り換えるようにスイッチＳＷ１１を制御するとともに、切り換え前に電源がオンされていた外部電子機器３００の電源をオフすることを指示するメッセージである。なお、外部電子機器３００の電源をオフするために、赤外線信号送信回路１８により発生される赤外線信号を用いる。
装置コントローラ２０は、図２又は図３に図示された電力制御及び信号伝送制御処理を実行することにより、テレビジョン受信装置１００全体の動作を制御するとともに、外部電子機器３００を制御するための赤外線信号のための制御信号を生成し、さらには、特に、当該テレビジョン受信装置１００の省電力のために、電源コントローラ２１を制御する。電源回路２２には電源スイッチＳＷ１が接続され、電源回路２２は、電源スイッチＳＷ１がオンされたとき、例えば電灯線からの交流電圧を所定の交流電圧や直流電圧に変換して電源コントローラ２１に出力する。電源コントローラ２１は、装置コントローラ２０からの制御信号に基づいて、テレビジョン受信装置１００内の各回路の電源供給やクロック供給を制御することにより省電力制御し、また、省電力機能を有したＩＣ、ＬＳＩ等の省電力状態への遷移制御等を行うことにより省電力制御する。電源コントローラ２１は、当該テレビジョン受信装置１００全体の電源のオン・オフを制御するとともに、テレビジョン受信装置１００内の放送波チューナ回路１１並びにディスプレイ１４並びにスピーカ１５Ａ及び１５Ｂの電源のオン・オフを制御する。
従って、上記装置コントローラ２０及び電源コントローラ２１は、テレビジョン受信装置１００の省電力制御処理を実行するとともに、外部電子機器３００の省電力制御処理を実行する省電力制御装置を構成している。
次いで、リモートコントロール装置２００の構成及び動作について以下に説明する。
無線ＬＡＮ送受信機３３は、テレビジョン受信装置１００の無線ＬＡＮ送受信機１７から送信されてくる、映像信号及び音声信号又は無線ＬＡＮリモートコントロール信号を含む無線ＬＡＮ信号をアンテナ３３Ａを介して受信し、受信した無線ＬＡＮ信号に対して、低雑音高周波増幅、周波数変換、復調などの処理を実行して、映像信号及び音声信号又は無線ＬＡＮリモートコントロール信号を抽出し、映像信号をＲＧＢプロセッサ３４に出力し、音声信号を増幅器３６に出力し、無線ＬＡＮリモートコントロール信号をコントローラ３０に出力する。ＲＧＢプロセッサ３４は入力される映像信号をＲＧＢ信号に信号変換した後、例えば液晶ディスプレイなどのディスプレイ３５に出力して表示する。また、増幅器３６Ｂは、入力される２チャンネルの音声信号を電力増幅して２個のスピーカ３７Ａ及び３７Ｂに出力する。これにより、ユーザーは、テレビジョン受信装置１００から無線ＬＡＮを介して送信されてくる映像信号の映像及び音声信号の音声を、ディスプレイ３５並びにスピーカ３７Ａ及び３７Ｂを用いて視聴することができる。
コントローラ３０は、現在の遠隔制御データを格納するデータメモリ３０Ａを有して、リモートコントロール装置２００全体の動作を制御する。ここで、コントローラ３０は、ユーザーがキーボード３１を用いて入力される上述の指示メッセージや受信チャンネル指示メッセージなどの指示メッセージを所定の制御信号に変換して伝送信号処理回路３２に出力する一方、伝送信号処理回路３２からの指示メッセージに基づいてリモートコントロール装置２００の動作を制御する。また、伝送信号処理回路３２は、コントローラ３０からの指示メッセージの制御信号に基づいてリモートコントロール信号を符号化して、例えばＩＥＥＥ８０２．１１などの規定に基づくディジタル伝送信号を生成して無線ＬＡＮ送受信機３３に出力する。無線ＬＡＮ送受信機３３は、上記規定に基づいて、上記無線ＬＡＮリモートコントロール信号を含み入力されるディジタル伝送信号に対して、周波数変換や電力増幅などの処理を実行して無線ＬＡＮ信号を発生して、アンテナ３３Ａからテレビジョン受信装置１００に向けて送信する。
図２は、図１のテレビジョン受信装置１００の装置コントローラ２０により実行される電力制御及び信号伝送制御処理を示すフローチャートである。ここで、図２は、特に、放送波チューナ回路１１により受信された映像信号及び音声信号をリモートコントロール装置２００において視聴するときの電力制御及び信号伝送制御処理である。
図２において、まず、ステップＳ１においてユーザーは電源スイッチＳＷ１をオンし、ステップＳ２において省電力フラグを０にリセットする。ここで、省電力フラグが０であるとき非省電力状態を示し、省電力フラグが１であるとき省電力状態を示す。次いで、ステップＳ３において放送波チューナ回路１１の電源をオンし、ディスプレイ１４並びにスピーカ１５Ａ及び１５Ｂの電源をオンし、さらに、ステップＳ４において自動省電力機能モードのオン又はオフを設定する。次いで、ステップＳ５において無線ＬＡＮリモートコントロール信号を受信したか否かが判断され、ＹＥＳとなるまでステップＳ５で待機し、ＹＥＳとなったとき、ステップＳ６において自動省電力機能モードはオンされているか否かが判断され、ＹＥＳのときはステップＳ７に進む一方、ＮＯのときはステップＳ８に進む。
ステップＳ７において受信された無線ＬＡＮリモートコントロール信号において映像音声送信指示メッセージを受信したか否かが判断され、ＹＥＳのときはステップＳ１２に進む一方、ＮＯのときはステップＳ９に進む。ステップＳ９において受信された無線ＬＡＮリモートコントロール信号において電源オフ指示メッセージを受信したか否かが判断され、ＹＥＳのときはステップＳ１０に進む一方、ＮＯのときはステップＳ１１に進む。ステップＳ１０では、テレビジョン受信装置１００全体の電源をオフにして当該制御処理を終了する。ステップＳ１１では、その他の制御処理を実行した後、ステップＳ５に戻る。さらに、ステップＳ１２では、リモートコントロール装置２００に映像信号及び音声信号を無線ＬＡＮを介して送信し、ステップＳ１３に進む。
ステップＳ８において、受信された無線ＬＡＮリモートコントロール信号において、テレビジョン受信装置１００の一部の回路又はデバイスを省電力状態に移行することを指示する省電力移行指示メッセージを受信したか否かが判断され、ＹＥＳのときはステップＳ１３に進む一方、ＮＯのときはステップＳ９に進む。ステップＳ１３では、省電力フラグが１であるか否かが判断され、ＮＯのときはステップＳ１４に進む一方、ＹＥＳのときはステップＳ１６に進む。ステップＳ１４においてディスプレイ１４並びにスピーカ１５Ａ及び１５Ｂの電源をオフして省電力し、ステップＳ１５において省電力フラグを１にセットした後、ステップＳ１８に進む。一方、ステップＳ１６では、ディスプレイ１４並びにスピーカ１５Ａ及び１５Ｂの電源をオンした後、ステップＳ１８に進む。ステップＳ１８では、リモートコントロール装置２００に映像信号及び音声信号をそれぞれ表示し出力するための指示メッセージを無線ＬＡＮを介して送信し、ステップＳ５に戻る。
以上説明したように、図２の電力制御及び信号伝送制御処理において、受信された無線ＬＡＮリモートコントロール信号において省電力移行指示メッセージを受信したとき（ステップＳ８でＹＥＳ）、テレビジョン受信装置１００が省電力状態でないとき（省電力フラグが０であるとき；ステップＳ１３でＮＯ）、上記リモートコントロール装置２００からの省電力移行指示メッセージに従って、ステップＳ１４でディスプレイ１４並びにスピーカ１５Ａ及び１５Ｂの電源をオフして省電力することができる。また、自動省電力機能モードがオンされていて（ステップＳ６でＹＥＳ）映像音声送信指示メッセージを受信したとき（ステップＳ７でＹＥＳ）リモートコントロール装置２００に映像信号及び音声信号を送信するが（ステップＳ１２）このとき、テレビジョン受信装置１００本体では、視聴する必要がないので、ステップＳ１４でディスプレイ１４並びにスピーカ１５Ａ及び１５Ｂの電源を自動的にオフして省電力することができる。
図３は、図１のテレビジョン受信装置１００の装置コントローラ２０により実行される、変形例に係る電力制御及び信号伝送制御処理を示すフローチャートである。ここで、図３は、特に、外部電子機器３００から出力される映像信号及び音声信号をリモートコントロール装置２００において視聴するときの電力制御及び信号伝送制御処理である。なお、図２及び図３の処理をスイッチＳＷ１１の切り換えに応じて選択的に実行するようにしてもよい。
図３のステップＳ２１において、まず、ステップＳ１においてユーザーが電源スイッチＳＷ１をオンし、このとき、ステップＳ２２においてディスプレイ１４並びにスピーカ１５Ａ及び１５Ｂの電源をオンする。次いで、ステップＳ２３で各外部電子機器３００のリモートコントロールコードを登録する。なお、当該リモートコントロールコードの登録が一度登録すればデータメモリ２０Ａに格納されるのでそれ以降は、変更する場合を除きステップＳ２３の処理を実行しなくてもいい。さらに、ステップＳ２４で自動省電力機能モードのオン又はオフを設定し、ステップＳ２５に進む。
ステップＳ２５において無線ＬＡＮリモートコントロール信号を受信したか否かが判断され、ＹＥＳとなるまでステップＳ２５の処理を実行し、ＹＥＳとなったとき、ステップＳ２６において受信された無線ＬＡＮリモートコントロール信号において映像音声送信指示メッセージを受信したか否かが判断され、ＹＥＳのときはステップＳ３０に進む一方、ＮＯのときはステップＳ２７に進む。ステップＳ２７において受信された無線ＬＡＮリモートコントロール信号において電源オフ指示メッセージを受信したか否かが判断され、ＹＥＳのときはステップＳ２８においてテレビジョン受信装置１００の電源をオフして当該制御処理を終了する一方、ＮＯのときはステップＳ２９に進む。ステップＳ２９では、その他の制御処理を実行した後、ステップＳ２５に戻る。
ステップＳ３０では、リモートコントロール装置２００に映像信号及び音声信号を無線ＬＡＮを介して送信し、ステップＳ３１において自動省電力機能モードはオンされているか否かが判断され、ＹＥＳのときはステップＳ３２に進む一方、ＮＯのときはステップＳ３５に進む。ステップＳ３２では、受信された無線ＬＡＮリモートコントロール信号において外部電子機器切換メッセージを受信したか否かが判断され、ＹＥＳのときはステップＳ３３に進む一方、ＮＯのときはステップＳ２７に進む。ステップＳ３３において外部電子機器切換メッセージにより選択された１つの外部電子機器３００に切り換えるようにスイッチＳＷ１１を制御し、ステップＳ３４では、切り換え前に電源がオンされていた外部電子機器３００の電源をオフするための赤外線信号を送信する。また、放送波チューナ回路１１並びにディスプレイ１４並びにスピーカ１５Ａ及び１５Ｂの電源をオフし、ステップＳ３５に進む。さらに、ステップＳ３５では、リモートコントロール装置２００に映像信号及び音声信号をそれぞれ表示し出力するための指示メッセージを無線ＬＡＮを介して送信し、ステップＳ２５に戻る。
以上説明したように、図３の電力制御及び信号伝送制御処理によれば、リモートコントロール装置２００からのリモートコントロール信号において映像音声送信指示メッセージを受信したときに（ステップＳ２６でＹＥＳ）リモートコントロール装置２００に映像信号及び音声信号を送信するが（ステップＳ３０）、このとき、自動省電力機能モードがオンであって（ステップＳ３１でＹＥＳ）でかつリモートコントロール装置２００から外部電子機器切換指示メッセージを受信しているとき（ステップＳ３２でＹＥＳ）、ステップＳ３３で外部電子機器切換メッセージにより選択された１つの外部電子機器３００に切り換えるようにスイッチＳＷ１１を制御し、ステップＳ３４で切り換え前に電源がオンされていた外部電子機器３００の電源をオフするための赤外線信号を送信するとともに、放送波チューナ回路１１並びにディスプレイ１４並びにスピーカ１５Ａ及び１５Ｂの電源を自動的にオフすることにより省電力することができる。
図３のステップＳ３４においては、放送波チューナ回路１１並びにディスプレイ１４並びにスピーカ１５Ａ及び１５Ｂの電源をオフしているが、本発明はこれに限らず、放送波チューナ回路１１の電源と、ディスプレイ１４並びにスピーカ１５Ａ及び１５Ｂの電源のうちの少なくとも一方をオフしてもよい。
以上説明したように、従来例において、テレビジョン受信装置１００とそのリモートコントロール装置２００との間で映像信号及び音声信号の無線伝送が行われ、別室での視聴といった離れた状態でリモートコントロール装置２００による視聴環境を想定した場合、テレビジョン受信装置１００本体の映像及び音声出力機能は不要であるにも拘らず常に出力されており、無駄な電力を消費していた。これに対して、本好ましい実施形態によれば、ユーザーが意図的にリモートコントロール装置２００のキーボード３１を用いて省電力化移行指示のための操作ボタンを押すことにより、あるいは、映像信号及び音声信号をリモートコントロール装置２００に無線送信させるための操作ボタンを押すことにより、テレビジョン受信装置１００において、手動もしくは自動的に省電力状態への遷移が行われ、不要な消費電力を容易に省くことができる。
また、従来例においては、複数の外部電子機器３００をテレビジョン受信装置１００に接続した場合、視聴している外部電子機器３００以外の外部電子機器３００については離れているため、その外部電子機器３００の電源の状態はユーザーに分かりにくく、意識的に未使用の外部電子機器３００の電源がオンのままであり、無駄な電力を消費していた。これに対して、本実施形態によれば、ユーザーがリモートコントロール装置２００のキーボード３１を用いて外部電子機器３００を切り換えるための操作ボタンを押すことにより、選択された外部電子機器からの映像信号及び音声信号をリモートコントロール装置２００において視聴可能とすると同時に、自動的に切り換え前に選択されていて電源がオン状態の外部電子機器３００の電源を自動的にオフすることができ、これにより、外部電子機器３００の電力を容易に省くことができる。
産業上の利用の可能性
以上詳述したように、本発明に係る省電力制御装置及び方法によれば、テレビジョン受信装置とリモートコントロール装置とを備えたテレビジョン受信システムのための省電力制御装置において、上記リモートコントロール装置からの所定の指示信号を受信したとき、上記テレビジョン受信装置の少なくとも一部の手段の電源をオフする省電力手段を備える。従って、上記テレビジョン受信装置の消費電力を容易にかつ自動的に省くことができる。
また、本発明に係る省電力制御装置及び方法によれば、テレビジョン受信装置とリモートコントロール装置とを備えたテレビジョン受信システムのための省電力制御装置において、上記リモートコントロール装置からの所定の指示信号を受信したとき、外部電子機器の電源をオフする制御手段を備える。従って、上記外部電子機器の消費電力を容易にかつ自動的に省くことができる。
【図１】
2005011267.tif 000003
【図２】
2005011267.tif 000004
【図３】
2005011267.tif 000005
【手続補正書】
【提出日】平成18年2月7日(2006.2.7)
【手続補正１】
【補正対象書類名】特許請求の範囲
【補正対象項目名】全文
【補正方法】変更
【補正の内容】
【特許請求の範囲】
【請求項１】
受信された放送波の映像信号及び音声信号と、外部電子機器から入力された映像信号及び音声信号とのうちの一方を出力し、上記映像信号及び音声信号を無線送信するテレビジョン受信装置と、
上記テレビジョン受信装置の動作を制御し、上記無線送信された映像信号及び音声信号を受信して出力するリモートコントロール装置とを備えたテレビジョン受信システムのための省電力制御装置において、
上記リモートコントロール装置からの所定の指示信号を受信したとき、上記テレビジョン受信装置の少なくとも一部の手段の電源をオフする省電力手段を備えたことを特徴とする省電力制御装置。
【請求項２】
上記指示信号は、上記テレビジョン受信装置の少なくとも一部の手段の電源をオフすることにより省電力状態に移行することを指示する省電力移行指示メッセージであることを特徴とする請求項１記載の省電力制御装置。
【請求項３】
上記指示信号は、上記テレビジョン受信装置から上記リモートコントロール装置に対して上記映像信号及び音声信号を無線送信することを指示する映像音声送信指示メッセージであることを特徴とする請求項１記載の省電力制御装置。
【請求項４】
上記指示信号は、上記テレビジョン受信装置から上記リモートコントロール装置に対して上記映像信号及び音声信号を無線送信することを指示する映像音声送信指示メッセージであり、
上記省電力手段は、上記リモートコントロール装置からの上記指示信号を受信し、かつ上記テレビジョン受信装置において自動省電力機能モードが設定されているとき、上記テレビジョン受信装置の少なくとも一部の手段の電源をオフすることを特徴とする請求項１記載の省電力制御装置。
【請求項５】
上記テレビジョン受信装置の少なくとも一部の手段は、上記映像信号の映像を表示する表示手段と、上記音声信号の音声を出力する音声出力手段とを含むことを特徴とする請求項１乃至４のうちのいずれか１つに記載の省電力制御装置。
【請求項６】
受信された放送波の映像信号及び音声信号と、外部電子機器から入力された映像信号及び音声信号とのうちの一方を出力し、上記映像信号及び音声信号を無線送信するテレビジョン受信装置と、
上記テレビジョン受信装置の動作を制御し、上記無線送信された映像信号及び音声信号を受信して出力するリモートコントロール装置とを備えたテレビジョン受信システムのための省電力制御方法において、
上記リモートコントロール装置からの所定の指示信号を受信したとき、上記テレビジョン受信装置の少なくとも一部の手段の電源をオフする省電力ステップを含むことを特徴とする省電力制御方法。
【請求項７】
上記指示信号は、上記テレビジョン受信装置の少なくとも一部の手段の電源をオフすることにより省電力状態に移行することを指示する省電力移行指示メッセージであることを特徴とする請求項６記載の省電力制御方法。
【請求項８】
上記指示信号は、上記テレビジョン受信装置から上記リモートコントロール装置に対して上記映像信号及び音声信号を無線送信することを指示する映像音声送信指示メッセージであることを特徴とする請求項６記載の省電力制御方法。
【請求項９】
上記指示信号は、上記テレビジョン受信装置から上記リモートコントロール装置に対して上記映像信号及び音声信号を無線送信することを指示する映像音声送信指示メッセージであり、
上記省電力ステップは、上記リモートコントロール装置からの上記指示信号を受信し、かつ上記テレビジョン受信装置において自動省電力機能モードが設定されているとき、上記テレビジョン受信装置の少なくとも一部の手段の電源をオフすることを特徴とする請求項６記載の省電力制御方法。
【請求項１０】
上記テレビジョン受信装置の少なくとも一部の手段は、上記映像信号の映像を表示する表示手段と、上記音声信号の音声を出力する音声出力手段とを含むことを特徴とする請求項６乃至９のうちのいずれか１つに記載の省電力制御方法。
【請求項１１】
外部電子機器から入力された映像信号及び音声信号を出力し、上記映像信号及び音声信号を無線送信するテレビジョン受信装置と、
上記テレビジョン受信装置の動作を制御し、上記テレビジョン受信装置を介して上記外部電子機器の動作を制御し、上記無線送信された映像信号及び音声信号を受信して出力するリモートコントロール装置とを備えたテレビジョン受信システムのための省電力制御装置であって、
上記リモートコントロール装置からの所定の指示信号を受信したとき、上記外部電子機器の電源をオフするように制御する制御手段を備えたことを特徴とする省電力制御装置。
【請求項１２】
上記テレビジョン受信装置は、複数の外部電子機器からの映像信号及び音声信号を選択的に切り換えて出力する切換手段をさらに備え、
上記制御手段は、上記リモートコントロール装置から複数の外部電子機器のうちの１つに選択的に切り換える外部電子機器切換指示メッセージを含む指示信号を受信したとき、複数の外部電子機器のうちの１つに選択的に切り換えるように上記切換手段を制御し、上記切り換え前に選択されていた外部電子機器の電源をオフにするように制御することを特徴とする請求項１１記載の省電力制御装置。
【請求項１３】
上記制御手段は、上記選択された外部電子機器からの映像信号及び音声信号を上記リモートコントロール装置に無線送信することを特徴とする請求項１２記載の省電力制御装置。
【請求項１４】
上記制御手段は、上記テレビジョン受信装置の少なくとも一部の手段の電源をオフすることを特徴とする請求項１３記載の省電力制御装置。
【請求項１５】
上記テレビジョン受信装置の少なくとも一部の手段は、
（１）上記テレビジョン受信装置の放送波を受信する受信手段と、
（２）上記映像信号の映像を表示する表示手段、及び上記音声信号の音声を出力する音声出力手段と
のうちの少なくとも一方を含むことを特徴とする請求項１４記載の省電力制御装置。
【請求項１６】
外部電子機器から入力された映像信号及び音声信号を出力し、上記映像信号及び音声信号を無線送信するテレビジョン受信装置と、
上記テレビジョン受信装置の動作を制御し、上記テレビジョン受信装置を介して上記外部電子機器の動作を制御し、上記無線送信された映像信号及び音声信号を受信して出力するリモートコントロール装置とを備えたテレビジョン受信システムのための省電力制御方法であって、
上記リモートコントロール装置からの所定の指示信号を受信したとき、上記外部電子機器の電源をオフするように制御する制御ステップを含むことを特徴とする省電力制御方法。
【請求項１７】
上記テレビジョン受信装置は、複数の外部電子機器からの映像信号及び音声信号を選択的に切り換えて出力する切換手段をさらに備え、
上記制御ステップは、上記リモートコントロール装置から複数の外部電子機器のうちの１つに選択的に切り換える外部電子機器切換指示メッセージを含む指示信号を受信したとき、複数の外部電子機器のうちの１つに選択的に切り換えるように上記切換手段を制御し、上記切り換え前に選択されていた外部電子機器の電源をオフにするように制御することを特徴とする請求項１６記載の省電力制御方法。
【請求項１８】
上記制御ステップは、上記選択された外部電子機器からの映像信号及び音声信号を上記リモートコントロール装置に無線送信することを特徴とする請求項１７記載の省電力制御方法。
【請求項１９】
上記制御ステップは、上記テレビジョン受信装置の少なくとも一部の手段の電源をオフすることを特徴とする請求項１８記載の省電力制御方法。
【請求項２０】
上記テレビジョン受信装置の少なくとも一部の手段は、
（１）上記テレビジョン受信装置の放送波を受信する受信手段と、
（２）上記映像信号の映像を表示する表示手段、及び上記音声信号の音声を出力する音声出力手段と
のうちの少なくとも一方を含むことを特徴とする請求項１９記載の省電力制御方法。
【請求項２１】
受信された放送波の映像信号及び音声信号と、外部電子機器から入力された映像信号及び音声信号とのうちの一方を出力し、上記映像信号及び音声信号を無線送信するテレビジョン受信装置において、
請求項１乃至５のうちのいずれか１つに記載の省電力制御装置を備えたことを特徴とするテレビジョン受信装置。
【請求項２２】
受信された放送波の映像信号及び音声信号と、外部電子機器から入力された映像信号及び音声信号とのうちの一方を出力し、上記映像信号及び音声信号を無線送信するテレビジョン受信装置と、
上記テレビジョン受信装置の動作を制御し、上記無線送信された映像信号及び音声信号を受信して出力するリモートコントロール装置とを備えたテレビジョン受信システムにおいて、
請求項１乃至５のうちのいずれか１つに記載の省電力制御装置を備えたことを特徴とするテレビジョン受信システム。
【請求項２３】
外部電子機器から入力された映像信号及び音声信号を出力し、上記映像信号及び音声信号を無線送信するテレビジョン受信装置において、
請求項１１乃至１５のうちのいずれか１つに記載の省電力制御装置を備えたことを特徴とするテレビジョン受信装置。
【請求項２４】
外部電子機器から入力された映像信号及び音声信号を出力し、上記映像信号及び音声信号を無線送信するテレビジョン受信装置と、
上記テレビジョン受信装置の動作を制御し、上記テレビジョン受信装置を介して上記外部電子機器の動作を制御し、上記無線送信された映像信号及び音声信号を受信して出力するリモートコントロール装置とを備えたテレビジョン受信システムにおいて、
請求項１１乃至１５のうちのいずれか１つに記載の省電力制御装置を備えたことを特徴とするテレビジョン受信システム。
【手続補正２】
【補正対象書類名】明細書
【補正対象項目名】全文
【補正方法】変更
【補正の内容】
【発明の詳細な説明】
【技術分野】
【０００１】
本発明は、テレビジョン受信装置と、そのリモートコントロール装置とを備えたテレビジョン受信システムのための省電力制御装置及び方法に関する。また、本発明は、上記省電力制御装置を備えたテレビジョン受信装置、並びに、上記テレビジョン受信装置を備えたテレビジョン受信システムに関する。
【背景技術】
【０００２】
映像信号及び音声信号の無線伝送技術は、近年、急速な進歩が認められており、送信装置と受信装置による形態を有する無線伝送システムや、もしくは、受信装置をテレビジョン受信装置に内蔵した形態のテレビジョン受信装置も一般化されつつある。なお、後者の場合においては、テレビジョン受信装置に代えて、パーソナルコンピュータである場合がある。
【０００３】
さらなる応用的な形態として、例えばテレビジョン受信装置とそのリモートコントロール装置との間での映像信号及び音声信号の無線伝送装置の形態に関して、テレビジョン受像機には再生した映像信号等を無線で伝送する送受信部を備え、リモートコントロール装置にはテレビジョン受像機を操作する操作ボタン以外に、映像信号等を無線で伝送する送受信部や、呼出された映像信号等を表示する表示装置を内蔵するものが、例えば、特許文献１（以下、第１の従来例という。）において開示されている。
【０００４】
また、リモートコントロール装置により外部電子機器への電力供給を制御するエネルギー管理システムに関しては、例えば、在室者検知手段と、端末機器に信号を無線で送信するリモコンとを備え、在室者検知手段による所定の室内における人の存在の検知に基づいて電力供給制御信号を電源接続制御手段に出力させるシステムが、例えば、特許文献２（以下、第２の従来例という。）において開示されている。
【０００５】
さらに、例えばテレビジョン受信装置などの電子機器を遠隔制御するための装置が、例えば以下の文献において開示されている。
【０００６】
【特許文献１】特開平１１−６９４６３号公報。
【特許文献２】特開２０００−１５２５２２号公報。
【特許文献３】特開２００２−２９１０６５号公報。
【特許文献４】特開２００３−１７９７７４号公報。
【特許文献５】特開２００３−２１９４８６号公報。
【特許文献６】特開２００３−２５９４６４号公報。
【発明の開示】
【発明が解決しようとする課題】
【０００７】
しかしながら、上述の従来例などにおいては以下の問題点があった。
【０００８】
まず、第１の従来例においては、同一システム内に複数の映像及び音声出力機能を有するテレビジョン受信装置において、ユーザーが一方の映像及び音声出力機能のみを視聴するために使用し他方を不要とする場合があり、具体的には、例えばテレビジョン受信装置とそのリモートコントロール装置との間では映像信号及び音声信号の無線伝送が行われるため、別室での視聴といった離れた状態でリモートコントロール装置による視聴環境を想定した場合、テレビジョン受信装置本体の映像及び音声出力機能は不要であるにも拘らず常に出力されており、無駄な電力を消費していることになる。
【０００９】
また、例えばビデオレコーダやＣＡＴＶ受信装置などの複数の外部接続機器を接続したテレビジョン受信装置において、視聴している外部接続機器以外の接続機器は離れているため、その機器の電源の状態はユーザーに分かりにくく、意識的に未使用の機器の電源を切断しないと操作状態のまま通電されており、無駄な電力を消費することになる。
【００１０】
さらに、第２の従来例において、ユーザーによっては同一室内での使用環境もあり得るため、人の存在を検知に基づく電力管理に関する制御システムでは該省電力状態への遷移が行われない場合がある。
【００１１】
本発明の目的は以上の問題点を解決し、効率的に省電力状態に遷移するように制御することができる省電力制御装置及び方法を提供することにある。
【００１２】
また、本発明の別の目的は、上記省電力制御装置を備えたテレビジョン受信装置、並びに、上記テレビジョン受信装置を備えたテレビジョン受信システムを提供することにある。
【課題を解決するための手段】
【００１３】
第１の発明に係る省電力制御装置は、受信された放送波の映像信号及び音声信号と、外部電子機器から入力された映像信号及び音声信号とのうちの一方を出力し、上記映像信号及び音声信号を無線送信するテレビジョン受信装置と、
上記テレビジョン受信装置の動作を制御し、上記無線送信された映像信号及び音声信号を受信して出力するリモートコントロール装置とを備えたテレビジョン受信システムのための省電力制御装置において、
上記リモートコントロール装置からの所定の指示信号を受信したとき、上記テレビジョン受信装置の少なくとも一部の手段の電源をオフする省電力手段を備えたことを特徴とする。
【００１４】
上記省電力制御装置において、上記指示信号は、上記テレビジョン受信装置の少なくとも一部の手段の電源をオフすることにより省電力状態に移行することを指示する省電力移行指示メッセージであることを特徴とする。もしくは、上記省電力制御装置において、上記指示信号は、上記テレビジョン受信装置から上記リモートコントロール装置に対して上記映像信号及び音声信号を無線送信することを指示する映像音声送信指示メッセージであることを特徴とする。とって代わって、上記省電力制御装置において、上記指示信号は、上記テレビジョン受信装置から上記リモートコントロール装置に対して上記映像信号及び音声信号を無線送信することを指示する映像音声送信指示メッセージであり、
上記省電力手段は、上記リモートコントロール装置からの上記指示信号を受信し、かつ上記テレビジョン受信装置において自動省電力機能モードが設定されているとき、上記テレビジョン受信装置の少なくとも一部の手段の電源をオフすることを特徴とする。
【００１５】
また、上記省電力制御装置において、上記テレビジョン受信装置の少なくとも一部の手段は、上記映像信号の映像を表示する表示手段と、上記音声信号の音声を出力する音声出力手段とを含むことを特徴とする。
【００１６】
第２の発明に係る省電力制御方法は、受信された放送波の映像信号及び音声信号と、外部電子機器から入力された映像信号及び音声信号とのうちの一方を出力し、上記映像信号及び音声信号を無線送信するテレビジョン受信装置と、
上記テレビジョン受信装置の動作を制御し、上記無線送信された映像信号及び音声信号を受信して出力するリモートコントロール装置とを備えたテレビジョン受信システムのための省電力制御方法において、
上記リモートコントロール装置からの所定の指示信号を受信したとき、上記テレビジョン受信装置の少なくとも一部の手段の電源をオフする省電力ステップを含むことを特徴とする。
【００１７】
上記省電力制御方法において、上記指示信号は、上記テレビジョン受信装置の少なくとも一部の手段の電源をオフすることにより省電力状態に移行することを指示する省電力移行指示メッセージであることを特徴とする。もしくは、上記省電力制御方法において、上記指示信号は、上記テレビジョン受信装置から上記リモートコントロール装置に対して上記映像信号及び音声信号を無線送信することを指示する映像音声送信指示メッセージであることを特徴とする。とって代わって、上記指示信号は、上記テレビジョン受信装置から上記リモートコントロール装置に対して上記映像信号及び音声信号を無線送信することを指示する映像音声送信指示メッセージであり、
上記省電力ステップは、上記リモートコントロール装置からの上記指示信号を受信し、かつ上記テレビジョン受信装置において自動省電力機能モードが設定されているとき、上記テレビジョン受信装置の少なくとも一部の手段の電源をオフすることを特徴とする。
【００１８】
また、上記省電力制御方法において、上記テレビジョン受信装置の少なくとも一部の手段は、上記映像信号の映像を表示する表示手段と、上記音声信号の音声を出力する音声出力手段とを含むことを特徴とする。
【００１９】
第３の発明に係る省電力制御装置は、外部電子機器から入力された映像信号及び音声信号を出力し、上記映像信号及び音声信号を無線送信するテレビジョン受信装置と、
上記テレビジョン受信装置の動作を制御し、上記テレビジョン受信装置を介して上記外部電子機器の動作を制御し、上記無線送信された映像信号及び音声信号を受信して出力するリモートコントロール装置とを備えたテレビジョン受信システムのための省電力制御装置であって、
上記リモートコントロール装置からの所定の指示信号を受信したとき、上記外部電子機器の電源をオフするように制御する制御手段を備えたことを特徴とする。
【００２０】
上記省電力制御装置において、上記テレビジョン受信装置は、複数の外部電子機器からの映像信号及び音声信号を選択的に切り換えて出力する切換手段をさらに備え、
上記制御手段は、上記リモートコントロール装置から複数の外部電子機器のうちの１つに選択的に切り換える外部電子機器切換指示メッセージを含む指示信号を受信したとき、複数の外部電子機器のうちの１つに選択的に切り換えるように上記切換手段を制御し、上記切り換え前に選択されていた外部電子機器の電源をオフにするように制御することを特徴とする。
【００２１】
また、上記省電力制御装置において、上記制御手段は、上記選択された外部電子機器からの映像信号及び音声信号を上記リモートコントロール装置に無線送信することを特徴とする。
【００２２】
さらに、上記省電力制御装置において、上記制御手段は、上記テレビジョン受信装置の少なくとも一部の手段の電源をオフすることを特徴とする。
【００２３】
またさらに、上記省電力制御装置において、上記テレビジョン受信装置の少なくとも一部の手段は、
（１）上記テレビジョン受信装置の放送波を受信する受信手段と、
（２）上記映像信号の映像を表示する表示手段、及び上記音声信号の音声を出力する音声出力手段と
のうちの少なくとも一方を含むことを特徴とする。
【００２４】
第４の発明に係る省電力制御方法は、外部電子機器から入力された映像信号及び音声信号を出力し、上記映像信号及び音声信号を無線送信するテレビジョン受信装置と、
上記テレビジョン受信装置の動作を制御し、上記テレビジョン受信装置を介して上記外部電子機器の動作を制御し、上記無線送信された映像信号及び音声信号を受信して出力するリモートコントロール装置とを備えたテレビジョン受信システムのための省電力制御方法であって、
上記リモートコントロール装置からの所定の指示信号を受信したとき、上記外部電子機器の電源をオフするように制御する制御ステップを含むことを特徴とする。
【００２５】
上記省電力制御方法において、上記テレビジョン受信装置は、複数の外部電子機器からの映像信号及び音声信号を選択的に切り換えて出力する切換手段をさらに備え、
上記制御ステップは、上記リモートコントロール装置から複数の外部電子機器のうちの１つに選択的に切り換える外部電子機器切換指示メッセージを含む指示信号を受信したとき、複数の外部電子機器のうちの１つに選択的に切り換えるように上記切換手段を制御し、上記切り換え前に選択されていた外部電子機器の電源をオフにするように制御することを特徴とする。
【００２６】
また、上記省電力制御方法において、上記制御ステップは、上記選択された外部電子機器からの映像信号及び音声信号を上記リモートコントロール装置に無線送信することを特徴とする。
【００２７】
さらに、上記省電力制御方法において、上記制御ステップは、上記テレビジョン受信装置の少なくとも一部の手段の電源をオフすることを特徴とする。
【００２８】
またさらに、上記省電力制御方法において、上記テレビジョン受信装置の少なくとも一部の手段は、
（１）上記テレビジョン受信装置の放送波を受信する受信手段と、
（２）上記映像信号の映像を表示する表示手段、及び上記音声信号の音声を出力する音声出力手段と
のうちの少なくとも一方を含むことを特徴とする。
【００２９】
第５の発明に係るテレビジョン受信装置は、受信された放送波の映像信号及び音声信号と、外部電子機器から入力された映像信号及び音声信号とのうちの一方を出力し、上記映像信号及び音声信号を無線送信するテレビジョン受信装置において、
上記省電力制御装置を備えたことを特徴とする。
【００３０】
第６の発明に係るテレビジョン受信システムは、受信された放送波の映像信号及び音声信号と、外部電子機器から入力された映像信号及び音声信号とのうちの一方を出力し、上記映像信号及び音声信号を無線送信するテレビジョン受信装置と、
上記テレビジョン受信装置の動作を制御し、上記無線送信された映像信号及び音声信号を受信して出力するリモートコントロール装置とを備えたテレビジョン受信システムにおいて、
上記省電力制御装置を備えたことを特徴とする。
【００３１】
第７の発明に係るテレビジョン受信装置は、外部電子機器から入力された映像信号及び音声信号を出力し、上記映像信号及び音声信号を無線送信するテレビジョン受信装置において、
上記省電力制御装置を備えたことを特徴とする。
【００３２】
第８の発明に係るテレビジョン受信システムは、外部電子機器から入力された映像信号及び音声信号を出力し、上記映像信号及び音声信号を無線送信するテレビジョン受信装置と、
上記テレビジョン受信装置の動作を制御し、上記テレビジョン受信装置を介して上記外部電子機器の動作を制御し、上記無線送信された映像信号及び音声信号を受信して出力するリモートコントロール装置とを備えたテレビジョン受信システムにおいて、
上記省電力制御装置を備えたことを特徴とする。
【発明の効果】
【００３３】
従って、本発明に係る省電力制御装置及び方法によれば、テレビジョン受信装置とリモートコントロール装置とを備えたテレビジョン受信システムのための省電力制御装置において、上記リモートコントロール装置からの所定の指示信号を受信したとき、上記テレビジョン受信装置の少なくとも一部の手段の電源をオフする省電力手段を備える。従って、上記テレビジョン受信装置の消費電力を容易にかつ自動的に省くことができる。
【００３４】
また、本発明に係る省電力制御装置及び方法によれば、テレビジョン受信装置とリモートコントロール装置とを備えたテレビジョン受信システムのための省電力制御装置において、上記リモートコントロール装置からの所定の指示信号を受信したとき、外部電子機器の電源をオフする制御手段を備える。従って、上記外部電子機器の消費電力を容易にかつ自動的に省くことができる。
【発明を実施するための最良の形態】
【００３５】
以下、本発明に係る好ましい実施形態について図面を参照して説明する。
【００３６】
図１は、本発明の好ましい実施形態に係るテレビジョン受信装置１００及びその周辺装置を含むテレビジョン受信システムの構成を示すブロック図である。
【００３７】
図１において、当該テレビジョン受信システムは、
（１）テレビジョン受信装置１００と、
（２）テレビジョン受信装置１００を遠隔制御するためのリモートコントロール装置２００と、
（３）テレビジョン受信装置１００にそれぞれ接続され、映像信号及び音声信号をテレビジョン受信装置１００に出力する外部電子機器である、ＤＶＤレコーダ装置３００−１、ビデオレコーダ装置３００−２及びＣＡＴＶ受信装置３００−３（以下、総称して外部電子機器３００という。）と
を備えて構成される。
【００３８】
図１において、放送波は、アンテナ１１Ａを介して放送波チューナ回路１１により受信され、放送波チューナ回路１１は受信された放送波の無線信号に対して低雑音増幅、周波数変換、中間周波増幅、復調などの処理を実行した後、映像信号と音声信号に分離し、スイッチＳＷ１１の接点ａを介して映像信号処理回路１２Ａ及び音声信号処理回路１２Ｂに出力する。第１の外部電子機器３００であるＤＶＤレコーダ装置３００−１は、ＤＶＤやＶＣＤなどの光ディスクに格納された映像信号及び音声信号を再生して、端子Ｔ１を介してスイッチＳＷ１１の接点ｂを介して映像信号処理回路１２Ａ及び音声信号処理回路１２Ｂに出力する。また、第２の外部電子機器３００であるビデオレコーダ装置３００−２は、ビデオテープに録画及び録音された映像信号及び音声信号をそれぞれ再生して、端子Ｔ２を介してスイッチＳＷ１１の接点ｃを介して映像信号処理回路１２Ａ及び音声信号処理回路１２Ｂに出力する。さらに、第３の外部電子機器３００であるＣＡＴＶ受信装置３００−３は、ＣＡＴＶのヘッドエンド装置から光ファイバケーブル又は同軸ケーブルを介して伝送されてくるＣＡＴＶ信号を受信した後、映像信号及び音声信号をそれぞれ復号化して、端子Ｔ３を介してスイッチＳＷ１１の接点ｄを介して映像信号処理回路１２Ａ及び音声信号処理回路１２Ｂに出力する。ここで、スイッチＳＷ１１の切り換えは装置コントローラ２０により制御される。
【００３９】
各外部電子機器３００はそれぞれ、テレビジョン受信装置１００内の赤外線信号送信回路１８により発生され赤外線送信部１９から送信されるリモートコントロール信号である赤外線信号を受信する赤外線受光部３００Ａを備える。ここで、赤外線信号送信回路１８により発生される赤外線信号は、遠隔制御される複数の外部電子機器３００に依存して予め装置コントローラ２０のデータメモリ２０Ａに登録される（図３のステップＳ２３）異なるリモートコントロールコードを含み、当該リモートコントロールコードにより遠隔制御する外部電子機器３００を識別し、当該リモートコントロールコードに付加される詳細制御コードに基づいて、各外部電子機器３００の電源のオン・オフ、各外部電子機器３００からの映像信号及び音声信号の出力のオン・オフ、及び各外部電子機器３００のチャンネルの選択などを制御する。当該遠隔制御は、テレビジョン受信装置１００の装置コントローラ２０から各外部電子機器３００に対する制御のみならず、リモートコントロール装置２００からテレビジョン受信装置１００を介して各外部電子機器３００に対する制御も可能である。
【００４０】
また、映像信号処理回路１２Ａは、入力される映像信号に対してデスクランブルや復号化などの信号処理を実行した後、ＲＧＢプロセッサ１３Ａ及び伝送信号処理回路１６に出力する。また、音声信号処理回路１２Ｂは、入力される音声信号に対してデスクランブラや復号化などの処理を実行した後、増幅器１３Ｂ及び伝送信号処理回路１６に出力する。ＲＧＢプロセッサ１３Ａは入力される映像信号をＲＧＢ信号に信号変換した後、例えばプラズマディスプレイなどのディスプレイ１４に出力して表示する。また、増幅器１３Ｂは、入力される２チャンネルの音声信号を電力増幅して２個のスピーカ１５Ａ及び１５Ｂに出力する。
【００４１】
さらに、伝送信号処理回路１６は、映像信号処理回路１２Ａから入力される映像信号と、音声信号処理回路１２Ｂから入力される音声信号とに対して、ディジタルＡ／Ｄ変換及び所定の符号化を実行して、例えばＩＥＥＥ８０２．１１などの規定に基づくディジタル伝送信号を生成して無線ＬＡＮ送受信機１７に出力する。また、伝送信号処理回路１６は、装置コントローラ２０からリモートコントロール装置２００に対するリモートコントロール信号（以下、装置コントローラ２０からリモートコントロール装置２００に対するリモートコントロール信号、並びに、リモートコントロール装置２００からテレビジョン受信装置１００に対するリモートコントロール信号を含み、無線ＬＡＮリモートコントロール信号という。）を符号化して、例えばＩＥＥＥ８０２．１１などの規定に基づくディジタル伝送信号を生成して無線ＬＡＮ送受信機１７に出力する。無線ＬＡＮ送受信機１７は、上記規定に基づいて、映像信号及び音声信号、又は無線ＬＡＮリモートコントロール信号を含み入力されるディジタル伝送信号に対して、周波数変換や電力増幅などの処理を実行して無線ＬＡＮ信号を発生して、アンテナ１７Ａからリモートコントロール装置２００に向けて送信する。ここで、装置コントローラ２０からリモートコントロール装置２００に対する無線ＬＡＮリモートコントロール信号は、例えば、リモートコントロール装置２００に映像信号及び音声信号をそれぞれ表示し出力するための指示メッセージを含む。
【００４２】
一方、リモートコントロール装置２００からアンテナ１７Ａを介して受信される無線ＬＡＮ信号は無線ＬＡＮ送受信機１７に入力され、無線ＬＡＮ送受信機１７は、入力される無線ＬＡＮ信号に対して、低雑音高周波増幅、周波数変換、復調などの処理を実行して、テレビジョン受信装置１００及び外部電子機器３００に対するリモートコントロール信号（以下、無線ＬＡＮリモートコントロール信号という。）を含むディジタル伝送信号を生成した後、伝送信号処理回路１６に出力する。伝送信号処理回路１６は受信されて入力されるディジタル伝送信号から無線ＬＡＮリモートコントロール信号を抽出して装置コントローラ２０に出力する。ここで、リモートコントロール装置２００からテレビジョン受信装置１００に対する無線ＬＡＮリモートコントロール信号は、例えば、以下の指示メッセージを含む。
（１）映像音声送信指示メッセージ：映像信号及び音声信号を、テレビジョン受信装置１００からリモートコントロール装置２００に向けて、無線ＬＡＮ送受信機１７と無線ＬＡＮ送受信機３３との間の無線ＬＡＮを介して無線送信することを指示するメッセージである。
（２）省電力移行指示メッセージ：テレビジョン受信装置１００内の一部の回路やデバイスの電源をオフにすることを指示するメッセージであり、図２の例では、自動省電力機能モードがオフであって当該指示メッセージを受信したとき、ディスプレイ１４並びにスピーカ１５Ａ及び１５Ｂの電源をオフにすることを指示するメッセージである。
（３）電源オフ指示メッセージ：テレビジョン受信装置１００全体の電源をオフにする指示メッセージである。
（４）外部電子機器切換指示メッセージ：スイッチＳＷ１１により選択すべき外部電子機器３００の情報を含む指示メッセージであり、選択すべき外部電子機器３００に切り換えるようにスイッチＳＷ１１を制御するとともに、切り換え前に電源がオンされていた外部電子機器３００の電源をオフすることを指示するメッセージである。なお、外部電子機器３００の電源をオフするために、赤外線信号送信回路１８により発生される赤外線信号を用いる。
【００４３】
装置コントローラ２０は、図２又は図３に図示された電力制御及び信号伝送制御処理を実行することにより、テレビジョン受信装置１００全体の動作を制御するとともに、外部電子機器３００を制御するための赤外線信号のための制御信号を生成し、さらには、特に、当該テレビジョン受信装置１００の省電力のために、電源コントローラ２１を制御する。電源回路２２には電源スイッチＳＷ１が接続され、電源回路２２は、電源スイッチＳＷ１がオンされたとき、例えば電灯線からの交流電圧を所定の交流電圧や直流電圧に変換して電源コントローラ２１に出力する。電源コントローラ２１は、装置コントローラ２０からの制御信号に基づいて、テレビジョン受信装置１００内の各回路の電源供給やクロック供給を制御することにより省電力制御し、また、省電力機能を有したＩＣ、ＬＳＩ等の省電力状態への遷移制御等を行うことにより省電力制御する。電源コントローラ２１は、当該テレビジョン受信装置１００全体の電源のオン・オフを制御するとともに、テレビジョン受信装置１００内の放送波チューナ回路１１並びにディスプレイ１４並びにスピーカ１５Ａ及び１５Ｂの電源のオン・オフを制御する。
【００４４】
従って、上記装置コントローラ２０及び電源コントローラ２１は、テレビジョン受信装置１００の省電力制御処理を実行するとともに、外部電子機器３００の省電力制御処理を実行する省電力制御装置を構成している。
【００４５】
次いで、リモートコントロール装置２００の構成及び動作について以下に説明する。
【００４６】
無線ＬＡＮ送受信機３３は、テレビジョン受信装置１００の無線ＬＡＮ送受信機１７から送信されてくる、映像信号及び音声信号又は無線ＬＡＮリモートコントロール信号を含む無線ＬＡＮ信号をアンテナ３３Ａを介して受信し、受信した無線ＬＡＮ信号に対して、低雑音高周波増幅、周波数変換、復調などの処理を実行して、映像信号及び音声信号又は無線ＬＡＮリモートコントロール信号を抽出し、映像信号をＲＧＢプロセッサ３４に出力し、音声信号を増幅器３６に出力し、無線ＬＡＮリモートコントロール信号をコントローラ３０に出力する。ＲＧＢプロセッサ３４は入力される映像信号をＲＧＢ信号に信号変換した後、例えば液晶ディスプレイなどのディスプレイ３５に出力して表示する。また、増幅器３６Ｂは、入力される２チャンネルの音声信号を電力増幅して２個のスピーカ３７Ａ及び３７Ｂに出力する。これにより、ユーザーは、テレビジョン受信装置１００から無線ＬＡＮを介して送信されてくる映像信号の映像及び音声信号の音声を、ディスプレイ３５並びにスピーカ３７Ａ及び３７Ｂを用いて視聴することができる。
【００４７】
コントローラ３０は、現在の遠隔制御データを格納するデータメモリ３０Ａを有して、リモートコントロール装置２００全体の動作を制御する。ここで、コントローラ３０は、ユーザーがキーボード３１を用いて入力される上述の指示メッセージや受信チャンネル指示メッセージなどの指示メッセージを所定の制御信号に変換して伝送信号処理回路３２に出力する一方、伝送信号処理回路３２からの指示メッセージに基づいてリモートコントロール装置２００の動作を制御する。また、伝送信号処理回路３２は、コントローラ３０からの指示メッセージの制御信号に基づいてリモートコントロール信号を符号化して、例えばＩＥＥＥ８０２．１１などの規定に基づくディジタル伝送信号を生成して無線ＬＡＮ送受信機３３に出力する。無線ＬＡＮ送受信機３３は、上記規定に基づいて、上記無線ＬＡＮリモートコントロール信号を含み入力されるディジタル伝送信号に対して、周波数変換や電力増幅などの処理を実行して無線ＬＡＮ信号を発生して、アンテナ３３Ａからテレビジョン受信装置１００に向けて送信する。
【００４８】
図２は、図１のテレビジョン受信装置１００の装置コントローラ２０により実行される電力制御及び信号伝送制御処理を示すフローチャートである。ここで、図２は、特に、放送波チューナ回路１１により受信された映像信号及び音声信号をリモートコントロール装置２００において視聴するときの電力制御及び信号伝送制御処理である。
【００４９】
図２において、まず、ステップＳ１においてユーザーは電源スイッチＳＷ１をオンし、ステップＳ２において省電力フラグを０にリセットする。ここで、省電力フラグが０であるとき非省電力状態を示し、省電力フラグが１であるとき省電力状態を示す。次いで、ステップＳ３において放送波チューナ回路１１の電源をオンし、ディスプレイ１４並びにスピーカ１５Ａ及び１５Ｂの電源をオンし、さらに、ステップＳ４において自動省電力機能モードのオン又はオフを設定する。次いで、ステップＳ５において無線ＬＡＮリモートコントロール信号を受信したか否かが判断され、ＹＥＳとなるまでステップＳ５で待機し、ＹＥＳとなったとき、ステップＳ６において自動省電力機能モードはオンされているか否かが判断され、ＹＥＳのときはステップＳ７に進む一方、ＮＯのときはステップＳ８に進む。
【００５０】
ステップＳ７において受信された無線ＬＡＮリモートコントロール信号において映像音声送信指示メッセージを受信したか否かが判断され、ＹＥＳのときはステップＳ１２に進む一方、ＮＯのときはステップＳ９に進む。ステップＳ９において受信された無線ＬＡＮリモートコントロール信号において電源オフ指示メッセージを受信したか否かが判断され、ＹＥＳのときはステップＳ１０に進む一方、ＮＯのときはステップＳ１１に進む。ステップＳ１０では、テレビジョン受信装置１００全体の電源をオフにして当該制御処理を終了する。ステップＳ１１では、その他の制御処理を実行した後、ステップＳ５に戻る。さらに、ステップＳ１２では、リモートコントロール装置２００に映像信号及び音声信号を無線ＬＡＮを介して送信し、ステップＳ１３に進む。
【００５１】
ステップＳ８において、受信された無線ＬＡＮリモートコントロール信号において、テレビジョン受信装置１００の一部の回路又はデバイスを省電力状態に移行することを指示する省電力移行指示メッセージを受信したか否かが判断され、ＹＥＳのときはステップＳ１３に進む一方、ＮＯのときはステップＳ９に進む。ステップＳ１３では、省電力フラグが１であるか否かが判断され、ＮＯのときはステップＳ１４に進む一方、ＹＥＳのときはステップＳ１６に進む。ステップＳ１４においてディスプレイ１４並びにスピーカ１５Ａ及び１５Ｂの電源をオフして省電力し、ステップＳ１５において省電力フラグを１にセットした後、ステップＳ１８に進む。一方、ステップS１６では、ディスプレイ１４並びにスピーカ１５Ａ及び１５Ｂの電源をオンした後、ステップＳ１８に進む。ステップＳ１８では、リモートコントロール装置２００に映像信号及び音声信号をそれぞれ表示し出力するための指示メッセージを無線ＬＡＮを介して送信し、ステップＳ５に戻る。
【００５２】
以上説明したように、図２の電力制御及び信号伝送制御処理において、受信された無線ＬＡＮリモートコントロール信号において省電力移行指示メッセージを受信したとき（ステップＳ８でＹＥＳ)、テレビジョン受信装置１００が省電力状態でないとき（省電力フラグが０であるとき；ステップＳ１３でＮＯ）、上記リモートコントロール装置２００からの省電力移行指示メッセージに従って、ステップＳ１４でディスプレイ１４並びにスピーカ１５Ａ及び１５Ｂの電源をオフして省電力することができる。また、自動省電力機能モードがオンされていて（ステップＳ６でＹＥＳ）映像音声送信指示メッセージを受信したとき（ステップＳ７でＹＥＳ）リモートコントロール装置２００に映像信号及び音声信号を送信するが（ステップＳ１２）このとき、テレビジョン受信装置１００本体では、視聴する必要がないので、ステップＳ１４でディスプレイ１４並びにスピーカ１５Ａ及び１５Ｂの電源を自動的にオフして省電力することができる。
【００５３】
図３は、図１のテレビジョン受信装置１００の装置コントローラ２０により実行される、変形例に係る電力制御及び信号伝送制御処理を示すフローチャートである。ここで、図３は、特に、外部電子機器３００から出力される映像信号及び音声信号をリモートコントロール装置２００において視聴するときの電力制御及び信号伝送制御処理である。なお、図２及び図３の処理をスイッチＳＷ１１の切り換えに応じて選択的に実行するようにしてもよい。
【００５４】
図３のステップＳ２１において、まず、ステップＳ１においてユーザーが電源スイッチＳＷ１をオンし、このとき、ステップＳ２２においてディスプレイ１４並びにスピーカ１５Ａ及び１５Ｂの電源をオンする。次いで、ステップＳ２３で各外部電子機器３００のリモートコントロールコードを登録する。なお、当該リモートコントロールコードの登録が一度登録すればデータメモリ２０Ａに格納されるのでそれ以降は、変更する場合を除きステップＳ２３の処理を実行しなくてもいい。さらに、ステップＳ２４で自動省電力機能モードのオン又はオフを設定し、ステップＳ２５に進む。
【００５５】
ステップＳ２５において無線ＬＡＮリモートコントロール信号を受信したか否かが判断され、ＹＥＳとなるまでステップＳ２５の処理を実行し、ＹＥＳとなったとき、ステップＳ２６において受信された無線ＬＡＮリモートコントロール信号において映像音声送信指示メッセージを受信したか否かが判断され、ＹＥＳのときはステップＳ３０に進む一方、ＮＯのときはステップＳ２７に進む。ステップＳ２７において受信された無線ＬＡＮリモートコントロール信号において電源オフ指示メッセージを受信したか否かが判断され、ＹＥＳのときはステップＳ２８においてテレビジョン受信装置１００の電源をオフして当該制御処理を終了する一方、ＮＯのときはステップＳ２９に進む。ステップＳ２９では、その他の制御処理を実行した後、ステップＳ２５に戻る。
【００５６】
ステップＳ３０では、リモートコントロール装置２００に映像信号及び音声信号を無線ＬＡＮを介して送信し、ステップＳ３１において自動省電力機能モードはオンされているか否かが判断され、ＹＥＳのときはステップＳ３２に進む一方、ＮＯのときはステップＳ３５に進む。ステップＳ３２では、受信された無線ＬＡＮリモートコントロール信号において外部電子機器切換メッセージを受信したか否かが判断され、ＹＥＳのときはステップＳ３３に進む一方、ＮＯのときはステップＳ２７に進む。ステップＳ３３において外部電子機器切換メッセージにより選択された１つの外部電子機器３００に切り換えるようにスイッチＳＷ１１を制御し、ステップＳ３４では、切り換え前に電源がオンされていた外部電子機器３００の電源をオフするための赤外線信号を送信する。また、放送波チューナ回路１１並びにディスプレイ１４並びにスピーカ１５Ａ及び１５Ｂの電源をオフし、ステップＳ３５に進む。さらに、ステップＳ３５では、リモートコントロール装置２００に映像信号及び音声信号をそれぞれ表示し出力するための指示メッセージを無線ＬＡＮを介して送信し、ステップＳ２５に戻る。
【００５７】
以上説明したように、図３の電力制御及び信号伝送制御処理によれば、リモートコントロール装置２００からのリモートコントロール信号において映像音声送信指示メッセージを受信したときに（ステップＳ２６でＹＥＳ）リモートコントロール装置２００に映像信号及び音声信号を送信するが（ステップＳ３０）、このとき、自動省電力機能モードがオンであって（ステップＳ３１でＹＥＳ）でかつリモートコントロール装置２００から外部電子機器切換指示メッセージを受信しているとき（ステップＳ３２でＹＥＳ）、ステップＳ３３で外部電子機器切換メッセージにより選択された１つの外部電子機器３００に切り換えるようにスイッチＳＷ１１を制御し、ステップＳ３４で切り換え前に電源がオンされていた外部電子機器３００の電源をオフするための赤外線信号を送信するとともに、放送波チューナ回路１１並びにディスプレイ１４並びにスピーカ１５Ａ及び１５Ｂの電源を自動的にオフすることにより省電力することができる。
【００５８】
図３のステップＳ３４においては、放送波チューナ回路１１並びにディスプレイ１４並びにスピーカ１５Ａ及び１５Ｂの電源をオフしているが、本発明はこれに限らず、放送波チューナ回路１１の電源と、ディスプレイ１４並びにスピーカ１５Ａ及び１５Ｂの電源のうちの少なくとも一方をオフしてもよい。
【００５９】
以上説明したように、従来例において、テレビジョン受信装置１００とそのリモートコントロール装置２００との間で映像信号及び音声信号の無線伝送が行われ、別室での視聴といった離れた状態でリモートコントロール装置２００による視聴環境を想定した場合、テレビジョン受信装置１００本体の映像及び音声出力機能は不要であるにも拘らず常に出力されており、無駄な電力を消費していた。これに対して、本好ましい実施形態によれば、ユーザーが意図的にリモートコントロール装置２００のキーボード３１を用いて省電力化移行指示のための操作ボタンを押すことにより、あるいは、映像信号及び音声信号をリモートコントロール装置２００に無線送信させるための操作ボタンを押すことにより、テレビジョン受信装置１００において、手動もしくは自動的に省電力状態への遷移が行われ、不要な消費電力を容易に省くことができる。
【００６０】
また、従来例においては、複数の外部電子機器３００をテレビジョン受信装置１００に接続した場合、視聴している外部電子機器３００以外の外部電子機器３００については離れているため、その外部電子機器３００の電源の状態はユーザーに分かりにくく、意識的に未使用の外部電子機器３００の電源がオンのままであり、無駄な電力を消費していた。これに対して、本実施形態によれば、ユーザーがリモートコントロール装置２００のキーボード３１を用いて外部電子機器３００を切り換えるための操作ボタンを押すことにより、選択された外部電子機器からの映像信号及び音声信号をリモートコントロール装置２００において視聴可能とすると同時に、自動的に切り換え前に選択されていて電源がオン状態の外部電子機器３００の電源を自動的にオフすることができ、これにより、外部電子機器３００の電力を容易に省くことができる。
【産業上の利用可能性】
【００６１】
以上詳述したように、本発明に係る省電力制御装置及び方法によれば、テレビジョン受信装置とリモートコントロール装置とを備えたテレビジョン受信システムのための省電力制御装置において、上記リモートコントロール装置からの所定の指示信号を受信したとき、上記テレビジョン受信装置の少なくとも一部の手段の電源をオフする省電力手段を備える。従って、上記テレビジョン受信装置の消費電力を容易にかつ自動的に省くことができる。
【００６２】
また、本発明に係る省電力制御装置及び方法によれば、テレビジョン受信装置とリモートコントロール装置とを備えたテレビジョン受信システムのための省電力制御装置において、上記リモートコントロール装置からの所定の指示信号を受信したとき、外部電子機器の電源をオフする制御手段を備える。従って、上記外部電子機器の消費電力を容易にかつ自動的に省くことができる。
【図面の簡単な説明】
【００６３】
【図１】図１は、本発明の好ましい実施形態に係るテレビジョン受信装置１００及びその周辺装置を含むテレビジョン受信システムの構成を示すブロック図である。
【図２】図２は、図１のテレビジョン受信装置１００の装置コントローラ２０により実行される電力制御及び信号伝送制御処理を示すフローチャートである。
【図３】図３は、図１のテレビジョン受信装置１００の装置コントローラ２０により実行される、変形例に係る電力制御及び信号伝送制御処理を示すフローチャートである。
【手続補正３】
【補正対象書類名】図面
【補正対象項目名】全図
【補正方法】変更
【補正の内容】
【図１】
2005011267.tif 000006
【図２】
2005011267.tif 000007
【図３】
2005011267.tif 000008
【国際調査報告】
2005011267.tif 000009
2005011267.tif 000010
2005011267.tif 000011
2005011267.tif 000012